(57)【要約】      （修正有）【課題】道路表面雨水や舗装内へ浸透した雨水を連続的に下水道等へ排水し、排水量が一定のレベルを超過した場合に地下貯留浸透に振向け、流出量の抑制を可能とする排水ブロックを提供する。【解決手段】排水ブロック１は、浸透トレンチ２０の上に受台３を用いて、たて溝上辺まで半埋設され、低通水部２２縁石側上辺に外側面下端開放たて溝８Ａの落下エプロン８Ｂ部と直通する越流口５を有する。【選択図】図１
0003154050.tif 000002
【実用新案登録請求の範囲】
【請求項１】
先行形成した浸透トレンチ（２０）の上に受台（３）を用いてたて溝上辺まで半埋設し越流口（５）以上の高水位分について越流貯留浸透と排水とを兼ねる雨水排水路を構成するもので、低通水部（２２）縁石側上辺に外側面下端開放たて溝（８Ａ）の落下エプロン（８Ｂ）部と直通する越流口（５）を設けた歩車道境界用Ｌ型の排水ブロック（１）。
【請求項２】
請求項１に記載した雨水排水路を構成するもので、低通水部（２２）の少なくとも片側上辺に外側面下端開放たて溝（８Ａ）の落下エプロン（８Ｂ）部と直通する越流口（５）を設けた落蓋側溝、管渠側溝による排水ブロック（１）。
【考案の詳細な説明】
【技術分野】
【技術分野】
【０００１】  本考案は、雨水の流出を抑制する貯留浸透兼用の排水ブロック工に関する。
【背景技術】
【先行技術文献】
【０００２】  従来、透水性又は有孔のコンクリート側溝を用いる雨水貯留浸透施設を除き、一般の道路、都市下水路等の雨水排水施設においてはプレキャストコンクリートによる歩車道境界Ｌ型、Ｕ形側溝、管渠側溝等の排水ブロックを用い表面水と側面からの舗装内透水等を道路に沿って連続的に集め流末へ排出するものであるが、いずれも通水断面は流下能力によって設計されており、高水位時においては下水道や河川の負担が増大する。
また、流下能力のみによる排出施設の設計は、地下水量減少等の一因ともなっており、浸透能力が高く地下水位の低い地形・地質等浸透施設の導入に適す条件下においては平水位における排水能力を維持しつつ高水位では越流貯留浸透による流出抑制も兼ねることが求められている。
【０００３】
【特許文献１】  特開平１１−５０５１７
【特許文献２】  特開２０００−３４５５０８号公報
【考案の概要】
【考案が解決しようとする課題】
【０００４】  道路表面雨水と舗装内透水とを下水道等へ排出する排水施設において、浸透能力が高く地下水位の低い地形・地質等浸透施設に適する条件下では通水断面からの常時排出を維持すると同時に排水量が一定のレベルを超過した場合に超過分について越流貯留浸透に振向け、雨水流出量の抑制を可能とする排水ブロック工を得る。
【課題を解決するための手段】
【０００５】  通水部分の流れに沿い内側面の平水位等の高さに越流口を設け、外側面の下端開放たて溝上辺の落下エプロン部と直通する構造のプレキャストコンクリート排水ブロックを用い、空隙率の高い単粒度砕石、例えば、粒度範囲２０〜４０ｍｍ空隙率３０〜４０％の砕石に置換して透水シートで土砂の流入を防ぐ構造の浸透トレンチか、又はその中に透水管等を埋設する浸透トレンチの上に排水ブロックをたて溝上辺まで半埋設連続布設し、通水断面からの下水道等への常時排出を維持しつつ、水位が上昇した場合に越流口からの流出水を浸透トレンチ上部の排水ブロック半埋設部で受止め浸透させるものである。
この場合排水ブロック外側面の下端開放たて溝への流出水は越流口落下エプロンからの途中落下分と開放外側面への到達分とによって浸透トレンチ上部に広がり浸透沈下する。
【考案の効果】
【０００６】  計画通り排水しつつ高水位分のみ越流貯留浸透との兼用とすることによって道路機能等を維持し、同時に流出抑制による下水道や河川への負担軽減との両立を図ることが出来る。【０００７】  排水能力は水理計算上従来と変わりなく、越流貯留浸透分を加味することによって通水断面の削減による経済設計が可能となる。【０００８】  降雨ごとに低水部に水流が生じ、従来工法と同じく通水路面の掃流性を維持出来る。【０００９】  越流口の位置が低通水部より高く、土砂等が流入しにくい。
さらにバキュームの使用も可能で側溝の清掃など維持管理に適応する。【００１０】  越流水はすべて排水ブロック外側部沿いの浸透トレンチ上部に落下流入し置換材空隙に浸透沈下するので、排水ブロック幅に側面置換材を加えて浸透トレンチ全体の幅が形成され大断面で高い貯留能力を得ることが出来る。【００１１】  排水ブロックは従来品と同じく工場生産に適し越流口、たて溝および落下エプロン部の形成も容易で安価に供給できる。
【図面の簡単な説明】
【００１２】
【図１】  浸透トレンチの上部に設置した排水性舗装用歩車道境界Ｌ型排水ブロックの実施例を示す切欠斜面図である。
【図２】  浸透トレンチの上部に設置した落し蓋側溝排水ブロックの実施例を示す切欠斜面図である。
【図３】  浸透トレンチの上部に設置した管渠側溝排水ブロックの実施例を示す切欠斜面図である。
【図４】  図１のＡ〜Ａ線にそった断面図である。
【図５】  図１のＢ〜Ｂ線にそった断面図である。
【図６】  図２のＡ〜Ａ線にそった断面図である。
【図７】  図３のＡ〜Ａ線にそった断面図である。
【図８】  図１の排水ブロックの実施例を示す斜面図である。
【図９】  図２の排水ブロックの実施例を示す斜面図である。
【図１０】  図３の排水ブロックの実施例を示す斜面図である。
【考案を実施するための形態】
【００１３】  排水ブロックは通水部内側面に越流口を設け、外側面の下部開放たて溝上辺の落下エプロン部と直通する構造とし、先行施工した浸透トレンチ上にたて溝上辺まで半埋設連続布設するものであり、越流口、落下エプロン部、たて溝については、形状大きさ等を本体強度低減のないように設けるが排水ブロック妻面に凹状切込し布設接合によって形成したりプラスチック等別加工品の埋込とすることでも可能である。
【００１４】  浸透トレンチは原路盤を空隙率の高い単粒度砕石に置換して形成されるので、排水ブロックは主に受台で支持し置換材の締め固めが生じにくいものとする。
また浸透トレンチは砕石工法に限定されず、プラスチック材の空隙を設ける組立てやコンクリート製のポーラス、有孔品等と組合せ空隙を大きく貯留能力を高める各種工法も可能である。
【００１５】  歩車道境界Ｌ型ブロックでは長尺品を用い、ブロック長さに合わせて受台を１スパン２ｍ毎に設置するのが一般的であるが、従来品の０．６ｍ短尺品でも差支えなくむしろ曲部施工用に適合する。
【実施例】
【００１６】  図１図２図３に実施例の施工状態を示す。
図１は道路の歩車道境界部にＬ型の排水ブロックを用い、先行して形成した浸透トレンチの上部に半埋設据付した排水工の実施例であり、図２は落し蓋型側溝図３は管渠側溝の排水ブロックを浸透トレンチの上部に半埋設した排水工の実施例である。【００１７】  図１の実施例においては、
歩車道境界用Ｌ型の排水ブロック（１）を受台（３）を用いて先行して形成した浸透トレンチ（２０）の上にたて溝（８Ａ）上辺まで半埋設したものである。
浸透トレンチ（２０）は掘削した溝に敷砂（１１）を施し、置換材（１０）として空隙率の高い単粒度砕石を充填する。この場合、透水シート（１２）を砕石の側面及び上面に介在させている。
なお砕石中に有孔透水管等を埋設することもあるが、この実施例は砕石のみの場合である。
受台（３）は図８に示すとおり排水ブロック（１）を載置し路盤に設計荷重を伝達するために必要な幅、厚、長さとなっている。
排水ブロック（１）は底面の通水方向に沿う両側のフランジ（６）（６）によって外底面凹部（４）を有し浸透トレンチ（２０）上にフィルター（１３）を介して据付け、半埋設するが、置換材（１０）の空隙率を維持するために受台（３）を用い図４図５にも示す中空貯留部（９）を外底面に形成して設置が完了する。
排水ブロック（１）の上面通水部には図４図８にも示すとおり低通水部（２２）の上辺に外側面下端開放たて溝（８Ａ）の落下エプロン（８Ｂ）部と直通する越流口（５）を等間隔に設けてある。そしてこの実施例ではフィルター（１３）はあらかじめ排水ブロック（１）外底面に貼付けたものである。
またこの実施例においては図５図８にも示すとおり排水ブロック（１）にスリット（７）が等間隔に設けられ、不透水舗装（１５）上の排水性舗装（１４）からの透水雨水を中空貯留部（９）に排出するものとなっている。【００１８】  図２の実施例においては、
落し蓋側溝の排水ブロック（１）を受台（３）を用いて先行して形成した浸透トレンチ（２０）の上にたて溝（８Ａ）上辺まで半埋設したものである。
受台（３）は排水ブロック（１）を載置し路盤に設計荷重を伝達するために必要な幅、厚、長さとなっており、浸透トレンチ（２０）に圧密が生じにくいように用いている。
排水ブロック（１）は蓋版（２）を組合せるものであり、排水ブロック（１）の通水部には図６図９にも示すとおり低通水部（２２）の上辺に外側面下部開放たて溝（８Ａ）の落下エプロン（８Ｂ）部と直通する越流口（５）を等間隔に設けてある。【００１９】  図３の実施例においては、
管渠側溝の排水ブロック（１）を受台（３）を用いて先行して形成した浸透トレンチ（２０）の上にたて溝（８Ａ）上辺まで半埋設したものであり、上面に雨水の流入口（２１）を有している。
受台（３）は排水ブロック（１）を載置し路盤に設計荷重を伝達するために必要な幅、厚、長さとなっており浸透トレンチ（２０）に圧密が生じにくいように用いている。
排水ブロック（１）の通水部には図７図１０にも示すとおり低通水部（２２）の上辺に外側面下端開放たて溝（８Ａ）の落下エプロン（８Ｂ）部と直通する越流口（５）を等間隔に設けてあり、この実施例においてはたて溝（８Ａ）の開放外側面にフィルター（１３）を固定して形成している。
【産業上の利用可能性】
【００２０】  道路等の雨水排水施設において従来工法に僅少な改良を加えることで必要な排水能力を維持し、同時に下水道や河川の負担を減らし地下水の涵養につながる等環境改養に寄与し、経済性の高い設計が可能となる。【００２１】  排水ブロックは実施例に示す越流貯留浸透工法のみに限定されず、越流口を閉塞して浸透トレンチのない基礎上の直接布設やベースコンクリート上の設置等多用途に利用できる。【００２２】  透水シート及びフィルターの材質は、一般の雨水貯留浸透施設における技術指針に準じポリエステル、ポリプロピレン等とし、引張強さが３０ｋｇｆ／５ｃｍ以上、透水係数１０−１〜１０−２ｃｍ／ｓｅｃ以上、厚さ０．１〜０．２ｍｍ以上のものを標準とする。
【符号の説明】
【００２３】      １    排水ブロック
２    蓋版
３    受台
４    外底面凹部
５    越流口
６    フランジ
７    スリット
８Ａ    たて溝
８Ｂ    落下エプロン
９    中空貯留部
１０    置換材
１１    敷砂
１２    透水シート
１３    フィルター
１４    排水性舖装
１５    不透水舗装
２０    浸透トレンチ
２１    流入口
２２    低通水部
【図１】
0003154050.tif 000003
【図２】
0003154050.tif 000004
【図３】
0003154050.tif 000005
【図４】
0003154050.tif 000006
【図５】
0003154050.tif 000007
【図６】
0003154050.tif 000008
【図７】
0003154050.tif 000009
【図８】
0003154050.tif 000010
【図９】
0003154050.tif 000011
【図１０】
0003154050.tif 000012
【手続補正書】
【提出日】平成21年7月10日(2009.7.10)
【手続補正１】
【補正対象書類名】実用新案登録請求の範囲
【補正対象項目名】全文
【補正方法】変更
【補正の内容】
【実用新案登録請求の範囲】
【請求項１】
先行形成した浸透トレンチ（２０）の上に受台（３）を用いてたて溝上辺まで半埋設し越流口（５）以上の高水位分について越流貯留浸透と排水とを兼ねる雨水排水路を構成するもので、低通水部（２２）縁石側上辺に外側面下端開放たて溝（８Ａ）の落下エプロン（８Ｂ）部と直通する越流口（５）を設けた歩車道境界用Ｌ型の排水ブロック（１）。
【請求項２】
先行形成した浸透トレンチ（２０）の上に受台（３）を用いてたて溝上辺まで半埋設し越流口（５）以上の高水位分について越流貯留浸透と排水とを兼ねる雨水排水路を構成するもので、低通水部（２２）の少なくとも片側上辺に外側面下端開放たて溝（８Ａ）の落下エプロン（８Ｂ）部と直通する越流口（５）を設けた落蓋側溝または管渠側溝により形成される排水ブロック（１）。